(57)【特許請求の範囲】
【請求項１】
端部に嵌合凸部が形成された面材と、前記嵌合凸部と嵌合する嵌合凹部が端部に形成された他の面材とを、嵌合凸部と嵌合凹部とを嵌合させて壁下地に並設し、面材の表面から嵌合凹部及び嵌合凸部を貫通させて固定具を壁下地に打入して成ることを特徴とする面材の取付構造。
【請求項２】
面材は二枚の金属外皮の間に芯材が充填されたものであることを特徴とする、請求項１に記載の面材の取付構造。
【請求項３】
嵌合凸部に金属外皮が折り返されて形成された凸部折返片が設けられ、嵌合凹部に金属外皮が折り返されて形成された凹部折返片が設けられ、凸部折返片及び凹部折返片を貫通させて固定具を打入して成ることを特徴とする、請求項２に記載の面材の取付構造。
【発明の詳細な説明】
【技術分野】
【０００１】
本発明は、耐震性などの性能が高い耐力壁に用いる面材の取付構造に関する。
【背景技術】
【０００２】
従来から、建物の軸組等の壁下地の表面に複数枚の面材（壁パネル）を並設することによって、耐震性の高い耐力壁を形成することが知られている（特許文献１参照）。
【０００３】
図８（ａ）は、面材３を用いて形成した従来の耐力壁の断面図である。隣り合う二つの面材３，３は、一方の端部と他方の端部とが壁下地１の前方で突き合わされ、それぞれの表面から釘やビスなどの固定具２が打入されて並設して取り付けられている。このとき、固定具２は面材３を貫通して壁下地１にまで打入されている。
【先行技術文献】
【特許文献】
【０００４】
【特許文献１】特開平１１−６２０６０号公報
【発明の概要】
【発明が解決しようとする課題】
【０００５】
上記のように、面材３を突き合わせ、その面材３のそれぞれに固定具２を貫通させた従来の耐力壁では強度が十分でない場合があった。特に、壁に逆方向に力が働きズレようとする力、いわゆる、せん断力に対しては十分な強度が得られない場合があった。
【０００６】
これに対し、特許文献１のように、板材を助材として用いて耐力壁を形成することも試みられている。例えば、並設された面材３，３の表面の間を跨るように縦に長い矩形状の板材を配置し、この板材の表面から面材３を貫通して壁下地１まで固定具２を打入して形成したような耐力壁である。この構造では板材が補強板の役割を果たし、それにより耐力壁の性能が向上する。
【０００７】
しかしながら、板材を用いて耐力壁を形成する場合、耐力壁を形成するための部品が多くなってしまう。また、取り付ける際には板材を仮固定して動かないようにして固定具２を打ち付けなければならず、施工に時間と手間がかかってしまう。さらに、板材を用いると、面材３の表面に板材が突出して配置されることになり、意匠性がよくない。
【０００８】
本発明は、上記の点に鑑みてなされたものであり、簡単な施工で強度を向上し、耐震性の高い耐力壁を形成することができる面材３の取付構造を提供することを目的とする。
【課題を解決するための手段】
【０００９】
本発明に係る面材の取付構造は、端部に嵌合凸部７が形成された面材３と、前記嵌合凸部７と嵌合する嵌合凹部６が端部に形成された他の面材３とを、嵌合凸部７と嵌合凹部６とを嵌合させて壁下地１に並設し、面材３の表面から嵌合凹部６及び嵌合凸部７を貫通させて固定具２を壁下地１に打入して成ることを特徴とする。
【００１０】
上記構成の面材の取付構造にあっては、面材３は二枚の金属外皮５の間に芯材４が充填されたものであることが好ましい。
【００１１】
上記構成の面材の取付構造にあっては、嵌合凸部７に金属外皮５が折り返されて形成された凸部折返片１６が設けられ、嵌合凹部６に金属外皮５が折り返されて形成された凹部折返片１１が設けられ、凸部折返片１６及び凹部折返片１１を貫通させて固定具２を打入して成ることが好ましい。
【発明の効果】
【００１２】
本発明によれば、嵌合凹部及び嵌合凸部を貫通して固定具を壁下地に打入しているので、耐力壁の強度、特にせん断力に対する強度を向上させることができる。また、隣り合う面材を貫通させて固定具を打ち入れるので、固定具の量を減らすことができる。また、板材などの助材を用いなくてもよく、施工の手間を省くことができる。したがって、耐震性の優れた耐久壁を簡単に形成することができる。
【図面の簡単な説明】
【００１３】
【図１】面材の取付構造の実施の形態の一例を示す要部断面図である。
【図２】同上の分解斜視図である。
【図３】面材の取付構造の一例を示す断面図である。
【図４】面材の取付構造の一例を示す断面図である。
【図５】試験に用いた耐力壁の試験体を示す正面図である。
【図６】耐力壁にかかる力のメカニズムを説明する概念図であり、（ａ）は本発明による耐力壁、（ｂ）は従来の耐力壁を示す。
【図７】耐力壁の試験後の写真であり、（ａ）は本発明による耐力壁、（ｂ）は従来の耐力壁を示す。
【図８】（ａ）〜（ｃ）は、従来の面材の取付構造の一例を示す断面図である。
【発明を実施するための形態】
【００１４】
図１及び図２に、本発明に係る面材３の取付構造の実施の形態の一例を示す。
【００１５】
図２に示すように、壁下地１は、軸組構造を形成するためのものであり、柱材１ａと横架材１ｂとからなる。柱材１ａは、水平方向（横方向）に所定の間隔で複数本配設され、建物の柱となるものである。横架材１ｂは、高さ方向（縦方向、垂直方向）に所定の間隔で柱材１ａを架け渡して複数本配設され、梁などで構成されるものである。柱材１ａと横架材１ｂとで軸組となる枠体が構成される。なお、図示の形態では、横架材１ｂが複数の柱材１ａを跨って架け渡されているが、横架材１ｂが隣り合う柱１ａ，１ａ間に挿入して架け渡されていてもよい。隣り合う柱材１ａ，１ａの間隔（ピッチ）、及び、隣り合う横架材１ｂ，１ｂの間隔（ピッチ）は、取り付けられる面材３の端部に壁下地１が配設されるように、面材３のピッチと同ピッチか、あるいは、面材３の分数倍（１／ｎ、例えば、１／２、１／３）のピッチになっている。壁下地１の材料としては木材などの角材を用いることができる。
【００１６】
面材３は、壁下地１の前方を敷き詰めるようにして壁下地１に複数取り付けて耐力壁を形成するものであり、通常、正面視で略矩形状や略正方形形状のものが用いられる。
【００１７】
面材３の大きさとしては、特に限定されるものではなく、例えば、一辺が５００〜１５００ｍｍ程度の正方形のものや、長辺が１０００〜５０００ｍｍ程度、例えば約２７３０ｍｍで、短辺が５００〜１５００ｍｍ程度、例えば約９１０ｍｍの矩形状のものなどを用いることができる。面材３の大きさを三六板（９１０×１８２０ｍｍ）〜三十板（９１０×３０３０ｍｍ）にすることも好ましい。面材３の厚みとしては、特に限定されるものではなく、例えば、１０〜２００ｍｍ程度にすることができる。
【００１８】
面材３は、一方の端部に嵌合凸部７が形成されており、他方の端部にこの嵌合凸部７と嵌合する嵌合凹部６が形成されている。それにより一種類の面材３を用いて耐力壁を形成することができる。図示の形態では、嵌合凸部７及び嵌合凹部６は、面材３の短手方向の端部（長辺）に設けられているが、長手方向の端部（短辺）に設けられていてもよい。そして、隣り合う面材３，３は、嵌合凸部７と嵌合凹部６とが嵌合し接続されて壁下地１に取り付けられている。
【００１９】
図２の形態では、矩形状の面材３を用い、長辺を縦にし、横方向に面材３を嵌合し接続して並設した構造、いわゆる縦張り構造の耐力壁を示している。しかしながら、本発明は、これに限られるものではなく、長辺を横にし、縦方向（上下方向）に面材３を嵌合し接続して並設した構造、いわゆる横張り構造の耐力壁であってもよい。なお、横張り構造の場合、防水性の観点から、嵌合凸部７を上方にして下側の面材３を配し、嵌合凹部６を下方にして上側の面材３を配して、面材３，３を接続し壁下地１に取り付けることが好ましい。
【００２０】
面材３としては、壁を形成するのに用いられるパネル材であればよく、金属サンドイッチパネル、構造用合板、金属板、窯業系サイディングなどの板状建材を用いることができる。このうち、断熱性や防火性の高い金属サンドイッチパネルを用いることが好ましい。図１の形態では、金属サンドイッチパネルが用いられた例を示している。
【００２１】
金属サンドイッチパネルとは、略平行な二枚の金属外皮５，５の間に芯材４を充填して形成された壁パネルである。金属外皮５，５としては、例えば、厚み０．２７〜１．６ｍｍ程度の金属板をロール加工や折り曲げ加工するなどして形成することができる。金属板としては、例えば、亜鉛めっき鋼板や塗装鋼板やガルバリウム鋼板（登録商標）などを用いることができる。また、芯材４としては、例えば、厚み２０〜１２０ｍｍ程度の断熱材を用いることができる。この断熱材としては、例えば、ロックウールやグラスウールなどの無機質断熱材、ウレタンフォームやスチレンフォームやフェノールフォームやポリイソシアヌレートフォームなどの樹脂断熱材を用いることができる。
【００２２】
金属サンドイッチパネルは、芯材４を金属外皮５，５でサンドイッチした構造であるため、固定具２と金属外皮５が接している一定距離を保った２点（前面側と後面側）に、せん断力が均等に分散され、二面せん断に理想的な構造になっている。これに対し、面材３が合板や鉄板だけの場合、固定具２に接している面材３の厚み方向の中心部１点に集中荷重がかかることで、固定具２に局所的な曲損や折損が起こり、面材３全体として観た時、二面せん断の機構からズレが生じやすく、許容耐力が低下する傾向がある。よって、耐震性からも金属サンドイッチパネルが好ましいのである。
【００２３】
そして、図示の形態では金属サンドイッチパネルに、嵌合凹部６と嵌合凸部７とが形成されている。
【００２４】
図１に示すように、嵌合凹部６は、前側（壁下地１から遠い側）の金属外皮５により形成された突条８と、後側（壁下地１に近い側）の金属外皮５により形成された突条８とで形成されている。すなわち、突条８，８間で嵌合凹部６が設けられる。
【００２５】
それぞれの突条８は、金属外皮５が面材３の内側にＵ字状に折り返されて形成された凹部折返片１１を備えて形成されている。凹部折返片１１の折り返しは、図示の形態に限られるものではなく、コ字状に折り返されても、Ｖ字状に折り返されていてもよい。また、金属外皮５との間に空隙を形成するように折り返されていても、金属外皮５に密着するように折り返されていてもよい。なお、金属外皮５を折り返さずに金属外皮５の先端をそのまま突条８として用いてもよいが、強度向上のためには凹部折返片１１が前後の突条８の一方又は両方に設けられていることが好ましい。また、前側の突条８と後側の突条８は対称形状であってもよく、非対称な形状であってもよい。
【００２６】
凹部折返片１１の先端からは、Ｌ字形に折り曲げられ金属外皮５から遠ざかるように面材３の厚み方向に延伸したパッキン受片１２と、パッキン受片１２の先端からＬ字形に折り曲げられ金属外皮５と略平行に戻って延伸する戻り片１３とが形成されている。パッキン受片１２は、パッキン１７を受け止めるものである。
【００２７】
嵌合凹部６にはパッキン１７が設けられている。パッキン１７は、芯材４の側面をカバーするものであり、また、接続される面材３の嵌合凸部７の先端を受け止めるものである。パッキン１７はゴムなど弾性的に圧縮する材料で構成されており、それにより嵌合凸部７とパッキン１７とが密着して防水性や気密性が向上する。
【００２８】
嵌合凸部７は、金属外皮５が内側に略垂直にＬ字形に折り曲げられて形成された凹み片１４と、凹み片１４の先端から外側にＬ字形に折り曲げられ金属外皮５と略平行に突出する突出片１５とが、両面の金属外皮５に設けられることによって形成されている。突出片１５の突出長さは、嵌合凸部７と嵌合凹部６とを嵌合した際に突出片１５の先端がパッキン１７に当接するように、突条８の突出長さ（パッキン１７の露出面から突条８の先端までの長さ）と略同一か、やや長く形成されている。
【００２９】
図示の形態にあっては、さらに、突出片１５の先端から金属外皮５の内側にＵ字状に折り返されて形成された凸部折返片１６が形成されている。凸部折返片１６の折り返しは、図示の形態に限られるものではなく、コ字状に折り返されても、Ｖ字状に折り返されていてもよい。また、突出片１５との間に空隙を形成するように折り返されていても、突出片１５に密着するように折り返されていてもよい。この凸部折返片１６は設けられなくてもよいが、強度向上のためには前後の金属外皮５の一方又は両方に設けられていることが好ましい。
【００３０】
そして、本発明にあっては、固定具２が、面材３の表面から嵌合凹部６及び嵌合凸部７を貫通して壁下地１に打入されている。それにより、隣り合う面材３，３が端部で連結して一体化し、耐力壁の強度、特にせん断力に対する強度を向上させることができる。また、一つの固定具２で並設する面材３を貫通させて壁下地１に接合することができ、固定具２の量を減らすことができる。また、隣り合う面材３に同時に固定具２を打ち入れることができ、施工の手間を省くことができる。
【００３１】
金属サンドイッチパネルとは別の材料からなる壁パネルを用いて嵌合・打入による取付構造にすることも可能であるが、金属サンドイッチパネルを用いた場合、金属外皮５の少なくとも４枚の金属板に固定具２が貫通されるので、強度をさらに向上することができるものである。そして、さらに図示の形態では、固定具２は、面材３の前面側と後面側の両方で、面材表面側の金属外皮５、凹部折返片１１、突出片１５、凸部折返片１６を貫通して打入されおり、嵌合凹部６及び嵌合凸部７に設けられた各折返片１１，１６を通過することで、計８枚の金属外皮５に固定具２が貫通されている。したがって、強度を著しく向上することができるものである。
【００３２】
固定具２としては、例えば、釘、ビス、ネジなどを用いることができる。このうち、取り付け強度を高くするためにビスを用いることが好ましい。固定具２は、面材３の外周に亘って端縁に沿って所定のピッチで打ち入れられる。ピッチは一定であることが好ましいが、中央部と隅部で、あるいは長手方向と短手方向で、ピッチが異なっていてもよい。ピッチとしては、具体的には、１０〜１０００ｍｍ程度、例えば、約１５０ｍｍに設定することができる。
【００３３】
面材３を壁下地１に取り付けるにあたっては、まず壁の隅部の位置に面材３を壁下地１の前方に配設し、嵌合させない側の端部に固定具２を打ち入れて、面材３を壁下地１に取り付ける。そして、この面材３の嵌合凸部７に他の面材３の嵌合凹部６を被挿し、あるいは、面材３の嵌合凹部６に他の面材３の嵌合凸部７を挿入し、他の面材３を嵌合させる。このとき、一方の面材３の嵌合凸部７をもう一方の面材３のパッキン１７に当接させるように設置することができる。また、突条８と凹み片１４とが当接してもよい。そして、嵌合凸部７と嵌合凹部６は壁下地１の前方で嵌合しており、この嵌合凸部７と嵌合凹部６とが重なり合った領域において、面材３の表面から固定具２を壁下地１に向かって打ち入れる。こうして隣り合う面材３を嵌合して接続しながら固定具２で壁下地１に接合し固定することができる。この動作を繰り返すことにより、嵌合する方向に面材３を取り付けることができる。そして、面材３が固定具２により接合されて順次に壁下地１に取り付けられると、横方向に面材３が敷き詰められる。
【００３４】
次に、横方向に敷き詰められた面材３の上方に、下端部を下方の面材３の上端部に突き合わせて他の面材３を配設することにより、縦方向に面材３を取り付けることができる。そして、この新しく取り付けられた面材３の横方向に面材３を順次に嵌合し接続して取り付けることにより、横方向の二列目に面材３が取り付けられる。これらの動作を繰り返すことによって、壁一面に面材３を敷き詰めることができるものである。
【００３５】
図３及び図４は、敷き詰められた面材３の端部（最端部）の構造の一例を示している。図３では、嵌合凹部６に固定具２が打入されており、図４では、嵌合凸部７に固定具２が打入されている。この端部にあっても、凹部折返片１１又は凸部折返片１６を貫通して固定具２が打入されているので、強度が向上する。なお、この最端部を形成する位置に嵌合凹部６や嵌合凸部７が形成されていない別の面材３を用いるようにしても構わない。
【００３６】
なお、上記では横方向に面材３を嵌合させる例を示したが、嵌合方向を上下方向にして面材３を取り付けてもよい。上下方向に面材３を嵌合させる場合、まず、嵌合凸部７及び嵌合凹部６が設けられていない面材３の端部を突き合わせて、横方向に面材３を敷き詰めて取り付ける。次に、すでに取り付けられた面材３の上側の嵌合凸部７（又は嵌合凹部６）に、他の面材３の嵌合凹部６（又は嵌合凸部７）を嵌合させて取りつけるようにすることができる。
【００３７】
このように形成された耐力壁にあっては、特にせん断力に対する強度が向上し、耐震性の高い壁を形成することができるものである。また、嵌合によって接続されているので、目地部及びビス留め部の固定度が高まり、塗り壁に亀裂を入りにくくさせることができるものである。そして、板材などの助材を必ずしも用いなくてもよく、部品数を減らすことができ、板材を面材３の前方に配置して打ち入れる場合に比べて、施工の手間を省くことができるものである。また、板材を用いた場合、前方に板材が突出して配置され意匠性が悪くなるが、上記の構造では、板材を用いなくてもよいので、意匠性を向上することができる。ただし、本発明による耐力壁においても板材を用いてもよい。
【００３８】
上記の実施の形態においては、一方の端部に嵌合凹部６が形成され、他方の端部に嵌合凸部７が形成された一種類の面材３を用いた耐力壁の構造を示したが、本発明はこれに限られない。例えば、両端部に上記のような嵌合凸部７が形成された面材３と、この嵌合凸部と嵌合する嵌合凹部６が両端部に形成された他の面材３とを用い、この二種類の面材３を交互に接続して配設するようにしてもよい。この場合も嵌合凹部６及び嵌合凸部７を貫通して固定具２が打入されるので、強度を向上することができるものである。
【実施例】
【００３９】
耐力壁用の試験体Ａを作製し、木造の耐力壁及びその倍率性能試験・評価（建築基準法施行令第４６条第４項表１（八）に関わる評価）を行った。
【００４０】
図５に、試験体Ａの仕様を示す。この試験体Ａは、二枚の面材３を縦張り構造で並設したものであり、試験体Ａの中央Ｃで隣り合う面材３，３が嵌合している。
【００４１】
面材３としては、縦（面材高さ）Ｈ、横（面材幅）Ｗ、面材厚み、鋼板厚が、表１、２に示されるような金属サンドイッチパネルを用いた。芯材４としては、いずれもポリイソシアヌレートフォームを用いた。
【００４２】
また、各実施例に用いた面材３については、図１に示すような嵌合凸部７及び嵌合凹部６が設けられたものを用い、嵌合凸部７の突出寸法すなわち突出片１５の突出長さを２０ｍｍとし、嵌合凹部６の凹入寸法すなわち突条８の突出長さを２０ｍｍとした。なお、凹部折返片１１と突出片１５との重なり長さは１７ｍｍであり、嵌合凸部７の先端はパッキン１７に接触していた。
【００４３】
柱材１ａとしては、断面が長辺８９ｍｍ×短辺３８ｍｍの矩形状で、長さが２６５４ｍｍのＳＰＦ（角材）を用い、長辺を前後方向にして、表１、２に示す柱スパンで配置した。この試験体Ａでは、面材３の端部とともに、中央部にも柱材１ａを配置した。
【００４４】
横架材１ｂとしては、断面が長辺８９ｍｍ×短辺３８ｍｍの矩形状のＳＰＦ（角材）を用い、長辺を前後方向にして、面材３の上端部に長さが１８５８ｍｍのものを配置し、下端部に長さが１８５８ｍｍのものを配置した。
【００４５】
上端部に配置された横架材１ｂの上側には木製の上基材２１が取り付けらており、また、下端部に配置された横架材１ｂの下側には木製の下基材２２が取り付けられている。試験は、この上基材２１と下基材２２とが水平方向（横方向）で逆方向にズレる方向に動くことで行われた。
【００４６】
固定具２としては、打ち入れ部分の直径（φ）が５．５ｍｍで、長さが８０ｍｍの鋼製のビス（専用ドリルねじ）、又は、長さが９０ｍｍの釘を用いた。この固定具２を、打入ピッチＰを略１５０ｍｍにして面材３の表面から壁下地１に打ち入れた。
【００４７】
面材３の取付構造としては、各実施例のものは、試験体Ａの左端Ｌが図３、右端Ｒが図４、中央Ｃが図１のような構造とした。各比較例のものは、試験体Ａの左端Ｌが図８（ｂ）、右端Ｒが図８（ｃ）、中央Ｃが図８（ａ）のような構造とした。
【００４８】
（実験１）
実施例１、比較例１、２の試験体Ａを用い、面材３の取付構造の違いによる強度の比較を行った。実施例１、比較例１、２の試験体Ａの仕様、及びその試験結果を表１に示す。
【００４９】
表１に示すように、比較例１、２に比べて実施例１の構造は、最大荷重、特定変形時の耐力、許容せん断耐力が高く、特に、降伏耐力、壁倍率が高かった。壁倍率は、比較例３、比較例２、実施例１の順に大きくなるという結果が得られた。
【００５０】
図６により、耐力壁の強度が向上するメカニズムを説明する。なお、このメカニズムは推定される理論の一例であり、本発明はこのメカニズムに限定されるものではない。
【００５１】
試験体Ａにおいて、せん断力が面材３に働いたとき、図１における左右のパネルは、上下反対方向に移動しようとする。しかし、本実施例では、左右のパネルを嵌合部分においてビスにより連結しているため、ビスと面材３とが接する箇所において、左右のパネルの上下方向の力が相殺され、ビスの変形が起こりにくい。このため、左右のパネルが一体化されているような挙動をとる。
【００５２】
実施例１の構造の試験体Ａでは、図６（ａ）のように、面材３が嵌合されて試験体Ａとして一体化され、試験体Ａを一枚の剛体のようにみなすことができる。そして、せん断力が加わった際にはこの一体化された試験体Ａの中心が回転中心Ｏとなり、回転する方向（白抜き矢印）に試験体Ａが動こうとする。したがって、強度が向上する。
【００５３】
一方、比較例２、３の試験体Ａでは、図６（ｂ）のように、面材３が一体化されておらず、せん断力が加わった際には、面材３のそれぞれの中心が回転中心Ｏとなり、回転する方向（白抜き矢印）に面材３が個々に動こうとする。このため、強度が低くなる。
【００５４】
図７は、試験後の試験体Ａの様子を示している。図７（ａ）は、実施例１の試験体Ａ、図７（ｂ）は、比較例１の試験体Ａである。比較例１の試験体Ａでは、面材３の突き合わせ部分でズレが発生し、各面材３が個々に傾いている。それに対し、実施例１の試験体Ａでは、ズレが発生せず、面材３が一体化している。
【００５５】
（実験２）
実施例２〜８の試験体Ａを用い、異なる仕様の試験体Ａにおける強度を測定した。実施例２〜８の試験体Ａの仕様、及びその試験結果を表２に示す。実施例１も再掲する。
【００５６】
表２に示すように、実施例２〜８の仕様においても、壁倍率が高い結果が得られた。
【００５７】
【表１】
0005466565.tif 000002
【００５８】
【表２】
0005466565.tif 000003
【符号の説明】
【００５９】
１      壁下地
２      固定具
３      面材
４      芯材
５      金属外皮
６      嵌合凹部
７      嵌合凸部
８      突条
１１    凹部折返片
１２    パッキン受片
１３    戻り片
１４    凹み片
１５    突出片
１６    凸部折返片
１７    パッキン
【図１】
0005466565.tif 000004
【図２】
0005466565.tif 000005
【図３】
0005466565.tif 000006
【図４】
0005466565.tif 000007
【図５】
0005466565.tif 000008
【図６】
0005466565.tif 000009
【図８】
0005466565.tif 000010
【図７】
0005466565.tif 000011